(57)【特許請求の範囲】
【請求項１】
複数の主コイルと、この各主コイルの端部間に相互に直列に接続した複数の励磁コイルを設けた単相３線式または単相２線式の単巻コイル型トランスと、前記複数の励磁コイルの少なくとも一つをカットするサイリスタと、前記主コイルの出力側電圧を検知する出力電圧検知部と、この出力電圧検知部の検知電圧が所定電圧以下に低下または上昇するとき、前記サイリスタを制御して出力電圧を上昇または低減する制御部を有してなる節電装置であって、
サイリスタを制御する制御部に回路部を設け、この回路部は複数のサイリスタすべてがオフの状態を検知したとき、サイリスタの一つを駆動させて励磁コイルに通電してなる節電装置。
【請求項２】
複数の主コイルと、この各主コイルの端部間に相互に直列に接続した複数の励磁コイルを設けた単相３線式または単相２線式の単巻コイル型トランスと、前記複数の励磁コイルの少なくとも一つをカットするサイリスタと、前記主コイルの出力側電圧を検知する出力電圧検知部と、この出力電圧検知部の検知電圧が所定電圧以下に低下または上昇するとき、前記サイリスタを制御して出力電圧を上昇または低減する制御部を有してなる節電装置であって、
複数の励磁コイル間に挿入した高圧安全装置を有し、この高圧安全装置は通常開の接点部と、前記励磁コイルに加わる電圧を検出する電圧検出部を備え、この電圧検出部が高電圧を検出したとき、前記接点部を閉じてなる節電装置。
【発明の詳細な説明】
【０００１】
【発明の属する技術分野】
本発明は、家庭用あるいは業務用の節電装置に関し、出力電圧を下げ、消費電力を小さくする機能を有する節電装置に関する。
【０００２】
【従来の技術】
近年、環境破壊や地球温暖化を防止するという観点から電力の有効利用および省エネルギー化が可能な節電装置が求められている。
【０００３】
従来、この種の節電装置は、図１４に示すような構成が一般的であった。
図に示すように、単相内鉄形コアに単巻した主コイル１０１、１０２および１０３、１０４を２回路相巻きし、これらの出力端間に、それぞれ前記コアに相巻きした励磁コイル１０５、１０６および１０７、１０８を直列接続し、これらの励磁コイルの中点と零相端子ｓを接続し、前記単巻主コイル１０２、１０４の出力端から他の相の端子ｒ、ｔを接続している。また、入力側端子台１０９と出力側端子台１１０は同一面上に設置されている。
【０００４】
上記構成において、入力側端子台１０９から電源側へ、出力側端子台１１０から負荷側へ接続され、単巻主コイル１０２、１０４の出力端から取り出した電圧は、入力電圧より電圧が下がり、これにより電力が節電されることになる。
【０００５】
例えば入力電圧に対して出力電圧を６Ｖ下げるような設定の場合は、Ｒ相、Ｓ相間に１００Ｖを入力するとｒ相、ｓ相では９４Ｖになる。これで負荷が一定(１Ω)とすれば、流れる電流は９４Ａであり、電力は８８３６Ｗとなり、入力電力１００００Ｗに対して１１６４Ｗの節電になるものであった。
【０００６】
【発明が解決しようとする課題】
このような従来の節電装置では、主コイルと接続した励磁コイルが２回路設けられた形となり、励磁コイル１０５、１０６と励磁コイル１０７、１０８とを流れる励磁電流は異なるためトランス内部のロス電流が生ずる。また入力電圧の降下があった場合、出力電圧がこれによって予期していた以上に下がると、負荷の動作が不安定になるという課題があり、入力電圧の変動に対しても出力電圧が安定に保たれることが要求されている。
【０００７】
また、励磁コイルを通電制御する２組のサイリスタの切換タイミングが合わずに、サイリスタが同時オンとなる場合は、励磁コイル部分で閉回路となって過電流すなわち循環電流が流れ、不安全であり、部品を劣化させるという課題があり、負荷容量が異なってもサイリスタの同時オンを防止することが要求されている。
【０００８】
また、トランス内部でショートするような部品の故障時に突発的に過電流が生ずる場合には、部品の劣化が起こり、高電圧が発生して不安全状態になるという課題があり、過電流が生じた場合でも、機器の信頼性、安全性を確保できることが要求されている。
【０００９】
また、端子台が占める設置面積が大きくなり、入力側端子台と電源側、出力側端子台と負荷側の結線作業が難しくなるという課題があり、結線作業を容易にするとともに誤結線を防止できることが要求されている。
【００１０】
本発明は、このような従来の課題を解決するものであり、トランス内部のロス電流を小さくし、入力電圧が変動して出力電圧の変化がある場合に、出力電圧を調整して、安定した電圧を負荷に与えることができ、また、過電流や高電圧に対する機器の信頼性、安全性を向上させることができ、結線接続工事を容易に行え、誤結線を生じない節電装置を提供することを目的としている。
【００１１】
【課題を解決するための手段】
本発明の節電装置は上記目的を達成するために、複数の主コイルと、この各主コイルの端部間に相互に直列に接続した複数の励磁コイルを設けた単相３線式または単相２線式の単巻コイル型トランスと、前記複数の励磁コイルの少なくとも一つをカットするサイリスタと、前記主コイルの出力側電圧を検知する出力電圧検知部と、この出力電圧検知部の検知電圧が所定電圧以下に低下または上昇するとき、前記サイリスタを制御して出力電圧を上昇または低減する制御部を有する構成とし、サイリスタを制御する制御部に回路部を設け、この回路部は複数のサイリスタすべてがオフの状態を検知したとき、サイリスタの一つを駆動させて励磁コイルに通電する構成としたものである。
そして本発明によれば、励磁コイル端の高電圧発生を防止することができ、信頼性、安全性を向上させた節電装置が得られる。
【００１２】
本発明によれば、出力電圧の変動があった場合でも出力電圧を調整して安定した電圧を負荷に供給できる節電装置が得られる。
【００１８】
また、他の手段は、複数の励磁コイル間に挿入した高圧安全装置を有し、この高圧安全装置は通常開の接点部と、前記励磁コイルに加わる電圧を検出する電圧検出部を備え、この電圧検出部が高電圧を検出したとき、前記接点部を閉じる構成としたものである。
そして本発明によれば、励磁コイルの一組を必ず接続して、励磁コイル端の高電圧発生を防止することができ、信頼性、安全性を向上させた節電装置が得られる。
【００２１】
【発明の実施の形態】
本発明は、複数の主コイルとこの各主コイルの端部間に相互に直列に接続した複数の励磁コイルを設けた単相３線式または単相２線式の単巻コイル型トランスと、前記複数の励磁コイルの少なくとも一つをカットするサイリスタと、前記主コイルの出力側電圧を検知する出力電圧検知部と、この出力電圧検知部の検知電圧が所定電圧以下に低下または上昇するとき、前記サイリスタを制御して出力電圧を上昇または低減する制御部を有するものであり、制御部は出力電圧が所定電圧以上の降下または上昇したとき、これを検出し、励磁コイルに接続された２組のサイリスタを通電制御することにより励磁電流を増減して出力電圧を加減し、負荷への供給電圧を安定化するという作用を有する。
【００２６】
また、複数のサイリスタを制御する制御部には、設置サイリスタすべてがオフの状態を検知して、励磁コイルの一組に通電する回路部を設けた構成としたものであり、回路部は複数のサイリスタのゲート電圧が全て０の場合に、サイリスタの一つを強制的にオンして一組の励磁コイルに通電することにより、励磁コイル端に生ずる高電圧を解消するという作用を有する。
【００２７】
また、励磁コイルがすべて開放状態時に高圧安全装置は励磁コイルに生ずる高電圧を検出し、常時開の接点部を閉じて開放状態を脱することにより、励磁コイル端に発生した高電圧を即座に解消できるという作用を有する。
【００３０】
以下、本発明の実施例について図面を参照しながら説明する。
【００３１】
【実施例】
（参考例１）
図１に示すように、入力端子Ｒ、Ｔと接続した複数の主コイルＬ１、Ｌ２およびＬ５、Ｌ６を単相内鉄形コア１に２回路相巻きし、これらの各回路の主コイルＬ２、Ｌ６との端部間に、前記コア１に巻いて相互に直列に接続された複数組の励磁コイルＬ３、Ｌ７およびＬ４、Ｌ８を接続している。またトランス２の各出力端子ｒ、ｔを、前記各回路の主コイルＬ２と励磁コイルＬ３との間に、また主コイルＬ６と励磁コイルＬ７との間にそれぞれ接続し、零相の入力端子Ｓと出力端子ｓとを相互に接続している。また、２組のサイリスタ３、サイリスタ４が設けられており、サイリスタ３の入出力端（カソード、アノード）は前記励磁コイルＬ４とＬ８との間に接続され、ゲートはサイリスタ３、サイリスタ４を制御する制御部５に接続されている。一方、サイリスタ４の入出力端（カソード、アノード）は前記励磁コイルＬ３とＬ７との間に接続され、ゲートは前記制御部５に接続されている。さらに、制御部５には出力電圧検知部６が設けられ、この出力電圧検知部６は前記各主コイルＬ２、Ｌ６の出力端に接続され、検知した電圧が所定の電圧以下に降下または上昇すると、制御部５で判断してサイリスタ３、サイリスタ４を通電制御するようになっている。
【００３２】
上記構成において、トランス２の入力端子Ｒ、Ｔに電圧が入力されると、励磁コイルに励磁電流が流れ、主コイルによってある一定の電圧が降下する。これにより出力端子ｒ、ｔの電圧は入力電圧より上記一定電圧分だけ降下している。そしていま入力電圧の低下により出力電圧が所定の電圧以下に下がると、これを制御部５の出力電圧検知部６で検知し、制御部５からの信号で一方のサイリスタ４を非通電状態（オフ）にし、他方のサイリスタ３を通電状態（オン）として複数組の全部の励磁コイルに通電し、励磁電流が流れる。これにより主コイルでの電圧降下の巾が小さく、出力端子ｒ、ｔの電圧降下が抑えられる。そして入力電圧が復帰し、出力電圧が所定の電圧以上になると、これを制御部５の出力電圧検知部６で検知し、これによりサイリスタ３を非通電状態（オフ）とし、他方のサイリスタ４を通電状態（オン）として励磁コイルに励磁電流が流れ、再び主コイルによってある一定の電圧分が降下する。この場合上記出力電圧の所定の電圧以下の降下を検知して一方のサイリスタ４をオフ、他方のサイリスタ３をオンとする前記所定電圧値を、出力電圧の所定の電圧以上の上昇を検知して他方のサイリスタ３をオフ、一方のサイリスタ４をオンにする上記所定電圧値より小さくし、ヒステリシスを持たせている。
【００３３】
例えば図１に示すように入力端子Ｒ、Ｓ間に１０６Ｖの電圧がかかると、各主コイルＬ１、Ｌ２、Ｌ５、Ｌ６および励磁コイルＬ３、Ｌ７に電流が流れ、上記主コイルＬ１、Ｌ２、Ｌ５、Ｌ６で６Ｖ降下した場合には、出力端子ｔ、ｓ間では１００Ｖの電圧となる。制御部５の信号によりサイリスタ４はオン状態で、励磁コイルＬ３、Ｌ７に励磁電流が流れ、サイリスタ３はオフ状態となっている。
【００３４】
そこで何らかの理由で上記入力電圧が下がり、例えば１０１Ｖで出力電圧が９５Ｖ以下となると、これを制御部５の出力電圧検知部６で検知し、制御部５からの信号でサイリスタ４をオフとし、サイリスタ３をオンとする。そこで上記励磁コイルＬ３、Ｌ４、Ｌ７およびＬ８すべてに励磁電流が流れる。これにより上記主コイルＬ１、Ｌ２、Ｌ５、Ｌ６では３Ｖしか降下せず、出力端子ｔ、ｓ間では９８Ｖの電圧となる。
【００３５】
このように入力電圧が１０１Ｖに降下すると、出力電圧が９５Ｖから９８Ｖに上昇し、バックアップする。そして上記入力電圧が復帰し、上昇するとこれにともなって出力端子ｔ、ｓ間の電圧も上昇する。例えば入力電圧が１０３Ｖになると、出力電圧１００Ｖを制御部５の出力電圧検知部６で検知し、制御部５からの信号でサイリスタ４をオンとし、サイリスタ３をオフとする。上記各励磁コイルＬ３、Ｌ７に励磁電流が流れ、上記主コイルＬ１、Ｌ２、Ｌ５、Ｌ６で６Ｖ分降下し、出力端子ｔ、ｓ間の電圧は９７Ｖとなる。図２にこれらの入力電圧と出力電圧の変化を表した電圧特性グラフを示している。この場合入力電圧の降下により出力電圧をバックアップする所定電圧と、入力電圧の上昇によるバックアップ解除の所定電圧とを異なるレベルとし、ヒステリシスを持たせているため、これらの切換はスムーズに行われる。また、電圧検知は出力電圧で検知し、負荷側の電圧降下を検知して安定化しているため、負荷への影響が少なくなる。
【００３６】
本参考例では単相３線式について説明したが、単相２線式の回路についても入力端子Ｒ−Ｔ相間に電圧を入力し、出力端子ｒ−ｔ間に負荷をつなぐと、同様に出力電圧は６Ｖ降下して、節電効果が得られる。また、出力電圧の変化を検出して、出力電圧をバックアップするため、負荷に影響を与えないようにすることが
できる。
【００３７】
なお、本参考例では２組のサイリスタについて説明したが、３組以上のサイリスタを用いても、その作用効果に差異を生じない。また、出力電圧が９５Ｖ以下、１００Ｖ以上でサイリスタの切換を行うこととしたが、実情に合わせて設定電圧を変更してもよい。
【００３８】
（参考例２）
図１および図３に示すように、制御部５には出力電圧検知部６が設けられ、この出力電圧検知部６は各主コイルＬ２、Ｌ６の出力端に接続され、検知した電圧が所定の電圧以下に降下または上昇すると、制御部５で判断してサイリスタ３、サイリスタ４のいずれかを通電制御するようになっている。また制御部５は電圧検知を一定時間だけ送らせて検知する検知遅延手段を有し、所定の電圧より降下もしくは上昇した場合、その時点から所定の電圧以下、または所定の電圧以上が一定時間継続すれば初めて制御部５により信号が発せられ、サイリスタ３が通電している場合はサイリスタ４に切換えられる。前記一定時間は数秒から数分で、時間が長くなればなるほど電圧変動によるサイリスタの切換回数は減少する。
【００３９】
上記構成において、出力電圧が所定の電圧以下に下がると、これを制御部５の出力電圧検知部６で検知するが、次に検知遅延手段が働き、所定の電圧以下に下がった点から所定の電圧以下が一定時間継続した場合に、制御部５からの信号で一方のサイリスタ４をオフにし、他方のサイリスタ３をオンとして複数組の全部の励磁コイルに通電し、励磁電流が流れることにより主コイルでの電圧降下の巾を小さくして、出力端子ｒ、ｔの電圧降下を抑えることになる。また、入力電圧が復帰し、出力電圧が所定の電圧以上になると、これを制御部５の出力電圧検知部６で検知し、次に検知遅延手段が働き、所定の電圧以上に上昇した点から一定時間所定の電圧以上が継続した場合に、制御部５からの信号でサイリスタ３をオフとし、他方のサイリスタ４をオンとして励磁コイルに励磁電流が流れ、再び主コイルによってある一定の電圧分が降下することになる。
【００４０】
また所定の電圧以下が一定時間継続しない場合、もしくは所定の電圧以上が一定時間継続しない場合、すなわち瞬間的な電圧変動が生じた時には、制御部５からの信号は発せられず、サイリスタの切換動作は起きない。したがって、瞬間的な電圧変動に対しては、サイリスタの切換が動作しないために動作回数が減少し、ひいては部品の長寿命化を図ることができる。したがって、制御部の電圧検知部により出力電圧を検知し、次に検知遅延手段を働かせることにより、サイリスタの切換動作を少なくし、部品の長寿命化を図ることができる。
【００４１】
なお、本参考例では、２組のサイリスタについて説明したが、複数組のサイリスタを用いても、その作用効果に差異を生じない。
【００４２】
（参考例３）
図４および図５に示すように、制御部５の駆動遅延手段（図示せず）はサイリスタ３、サイリスタ４へのオン、オフ動作信号に遅延時間を設け、一方のサイリスタ３をオンからオフに切換え、２組のサイリスタを同時にオフ状態とする遅延時間を設け、次に他方のサイリスタ４をオンさせるようになっている。前記遅延時間は電源周波数の半波長以上の時間としている。
【００４３】
上記構成において、出力電圧が所定の電圧以下に下がると、これを制御部５の出力電圧検知部６で検知し、制御部５からの信号で一方のサイリスタ４をオフにし、他方のサイリスタ３をオンとして複数組の全部の励磁コイルに通電し、励磁電流が流れることにより主コイルでの電圧降下の巾が小さく、出力端子ｒ、ｔの電圧降下が抑えられることになる。この時、制御部５から一方のサイリスタ４にオフ信号が送られるが、負荷によりオフ信号が遅れることがあり、サイリスタ４がオン状態のまま、サイリスタ３をオンさせるとサイリスタ３、４同時オン状態における励磁コイルＬ４、Ｌ８で閉回路となって、過電流すなわち循環電流が流れる状態となる。しかしサイリスタ４をオフしたとき、駆動遅延手段が電源周波数の半波長以上の時間だけ遅らせて、制御部５からの信号でサイリスタ３をオンすることにより、２組のサイリスタ３、４は同時にオン状態にはならない。したがって、サイリスタの同時オン状態に起因する過電流の発生を防止できる。
【００４４】
また、入力電圧が復帰し、出力電圧が所定の電圧以上になると、これを制御部５の出力電圧検知部６で検知し、これによりサイリスタ３をオフとし、他方のサイリスタ４をオンとして励磁コイルに励磁電流が流れ、再び主コイルによってある一定の電圧分が降下する。この時、サイリスタ３をオフしたとき、駆動遅延手段が電源周波数の半波長以上の時間だけ遅らせて、制御部５からの信号でサイリスタ４をオンさせると、２組のサイリスタ３、４は同時にオン状態にはならない。したがって、制御部の駆動遅延手段がサイリスタのオン−オフ動作に遅延時間を設けることにより、サイリスタを同時通電させることがなく、過電流の発生を防止することができる。
【００４５】
なお、本参考例では、２組のサイリスタについて説明したが、３組以上のサイリスタを用いても、その作用効果に差異を生じない。
【００４６】
（参考例４）
図６に示すように、制御部５に電圧検知部７を設け、この電圧検知部７はサイリスタ３、サイリスタ４の端部と接続され、サイリスタ３、サイリスタ４の両端電圧を検知している。電圧検知部７の検知電圧が所定の電圧と大幅に異なる場合は、励磁コイルが断線しているとして異常表示ランプ８を点灯させるようになっている。
【００４７】
上記構成において、制御部５の電圧検知部７はサイリスタ３、サイリスタ４の両端電圧を検知するが、サイリスタ３がオンの場合、もしくはサイリスタ４がオンの場合、それぞれサイリスタ３、サイリスタ４の両端電圧は定まっており、検知電圧が所定電圧以外の場合には電圧検知部７が「異常」と判断して異常表示ランプ８を点灯させる。すなわち、励磁コイルＬ３、Ｌ４、Ｌ７およびＬ８が断線している場合に、サイリスタ３、サイリスタ４の両端電圧が所定電圧と大きく異なり、これにより励磁コイルの断線を検知することができる。
【００４８】
例えば入力端子Ｒ、Ｔ間に２１２Ｖの電圧がかかると各主コイルＬ１、Ｌ２、Ｌ５、Ｌ６および励磁コイルＬ３、Ｌ７に電流が流れ、上記主コイルＬ１、Ｌ２、Ｌ５、Ｌ６で１２Ｖ降下した場合には、出力端子ｔ、ｒ間では２００Ｖの電圧となり、制御部５の信号によりサイリスタ４はオン状態で、励磁コイルＬ３、Ｌ７に励磁電流が流れる。また、サイリスタ３はオフ状態となっている。この場合、サイリスタ４の両端電圧は０Ｖ、サイリスタ３の両端電圧は約２００Ｖとなっており、これが所定電圧となる。ところが、励磁コイルＬ３もしくはＬ７が断線した場合には、負荷容量により異なるが、サイリスタ３の両端には数千Ｖの電圧が発生しており、所定電圧（約２００Ｖ）と大きく異なるため、制御部５は励磁コイルの断線を検出することができる。
【００４９】
また、何らかの理由で入力電圧が下がり、例えば２０２Ｖで、出力電圧が１９０Ｖ以下となると、これを制御部５の電圧検知部７で検知し、制御部５からの信号でサイリスタ４をオフとし、サイリスタ３をオンとする。そこで励磁コイルＬ３、Ｌ４、Ｌ７およびＬ８すべてに励磁電流が流れる。これにより主コイルＬ１、Ｌ２、Ｌ５、Ｌ６では６Ｖしか降下せず、出力端子ｔ、ｒ間では１９６Ｖの電圧となる。この場合、サイリスタ３の両端電圧は０Ｖ、サイリスタ４の両端電圧は約１００Ｖとなっており、これが所定電圧となる。ところが、励磁コイルＬ３もしくはＬ７が断線した場合には、サイリスタ４の両端電圧は数千Ｖの電圧が発生しており、所定電圧（約１００Ｖ）と異なるため断線を検知することができる。励磁コイルＬ４もしくはＬ８が断線した場合にも、サイリスタ４の両端電圧は数千Ｖの電圧が発生しており、所定電圧（約１００Ｖ）と異なるため断線を検知することができる。
【００５０】
したがって、制御部５の電圧検知部７によりサイリスタの両端電圧を検知し、検知電圧が所定電圧か、もしくは所定電圧と大きく異なるかを判定して励磁コイルの断線を検出し、異常表示することができる。
【００５１】
なお、本参考例では、２組のサイリスタを用いた回路について説明したが、３組以上のサイリスタを用いた回路についても、その作用効果に差異を生じない。
【００５２】
（参考例５）
図７に示すように、励磁コイルＬ３とＬ４の間に過電流防止装置９ａ、９ｂを直列に接続し、励磁コイルＬ７とＬ８の間に過電流防止装置９ｃ、９ｄを直列に接続している。サイリスタ４の一端は過電流防止装置９ａ、９ｂの間に接続され、サイリスタ３の一端は過電流防止装置９ｃ、９ｄの間に接続されている。過電流防止装置９ａ、９ｂ、９ｃ、９ｄとしては電磁遮断器またはヒューズを用いている。
【００５３】
上記構成において、制御部５、サイリスタ３、サイリスタ４のいずれかが故障した場合に、励磁コイルＬ３、Ｌ４、Ｌ７、Ｌ８に過電流が流れて発熱することがあり、不安全状態となるが、過電流防止装置９ａ、９ｂ、９ｃ、９ｄの１つが働いて過電流を遮断する。
【００５４】
例えばサイリスタ４がオンの場合、励磁コイルＬ３、Ｌ７には励磁電流が流れているが、制御部５の制御ミスまたはサイリスタ３の部品故障などによりサイリスタ３がオンしたときには、励磁コイルＬ４、Ｌ８部分は閉回路となって循環電流が流れることになり、励磁コイルＬ４、Ｌ８に過電流が流れる。このとき過電流防止装置９ｂ、９ｄにより回路を遮断して過電流を防止する。
【００５５】
また、サイリスタ３がオンの場合に、何らかの故障でサイリスタ４がオンしたときも、同様に過電流防止装置９ｂ、９ｄが働いて回路を遮断する。
【００５６】
また、サイリスタ４がオンの場合、励磁コイルＬ３、Ｌ７には励磁電流が流れているが、制御部５の故障およびサイリスタ４の部品故障により、サイリスタ４の素子片方が動作しなかったときには励磁コイルＬ３、Ｌ７に直流電流が流れ、さらにトランス２にも直流電流が流れ、ひいては過電流が流れることになる。これを過電流防止装置９ａ、９ｃが動作して回路を遮断し、励磁コイルＬ３、Ｌ７に過電流を流さないようにする。サイリスタ３についても上記と同様に動作する。
【００５７】
したがって、過電流防止装置により励磁コイルに流れる過電流を即座に遮断して、発熱などの不安全を回避し、安全性を向上させることができる。
【００５８】
（実施例６）
図８に示すように、サイリスタ３、４のゲートは制御部５に設けた回路部１０に接続されており、回路部１０はサイリスタ３、４のゲート電圧を検知してサイリスタ３、４すべてがオフの場合には、サイリスタの１つを強制的にオンして励磁コイルの１組だけを通電するものである。
【００５９】
上記構成において、制御部５の回路部１０はサイリスタ３、サイリスタ４のゲート電圧を検知しており、ゲート電圧が異なれば一方のサイリスタがオン状態であり、正常動作している。ところが、ゲート電圧がすべて同一であれば、サイリスタすべてがオフ状態と判断できる。このときは、励磁コイルが開放状態となって、励磁コイル端つまりサイリスタ３、サイリスタ４の両端には数千Ｖから１万Ｖの高電圧が発生する。この高電圧発生を防止するために、制御部５の回路部１０でサイリスタ３、サイリスタ４のゲート電圧を検知して、ゲート電圧がすべて同じであれば、回路部１０から信号を送ってサイリスタの１つを強制的にオンさせて励磁コイルの１組だけを接続するようにしている。つまり、サイリスタ３もしくはサイリスタ４がオン状態で、励磁コイルの１組が接続されていれば高電圧は発生しない。したがって、サイリスタのゲート電圧を検知してサイリスタがすべてオフ状態であれば、制御部５の回路部１０からの信号でサイリスタの１つを強制的にオンして励磁コイルの１組だけを接続することにより、励磁コイル端の高電圧発生を防止することができる。
【００６０】
なお、本実施例では、２組のサイリスタについて説明したが、３組以上のサイリスタを用いる場合においても、その作用効果に差異を生じない。
【００６１】
（実施例７）
図９に示すように、励磁コイルＬ４とＬ８との間にサイリスタ３の入出力端（カソード、アノード）が接続され、ゲートは制御部５に接続されている。また、励磁コイルＬ４とＬ８との間に高圧安全装置１１が接続されている。この高圧安全装置１１は、励磁コイルＬ４とＬ８に加わる電圧を検出する電圧検出部として過電圧保護のためのバリスタ１２、および通常開の接点部として温度が上昇すれば接点を閉じてオン状態（通電）となるサーモスタット１３とで構成され、バリスタ１２とサーモスタット１３は密着している。
【００６２】
上記構成において、制御部５の故障によりサイリスタ３、サイリスタ４が動作せずオフの場合、または、サイリスタ３、サイリスタ４が故障して動作しない場合には、サイリスタすべてがオフ状態となっているため、励磁コイルが開放状態となって、励磁コイル端つまりサイリスタ３、サイリスタ４の両端には数千Ｖから１万Ｖの高電圧が発生しており、サイリスタを破壊するような不安全な状態となっている。このとき、この高電圧を高圧安全装置１１のバリスタ１２が吸収するが、バリスタ１２は吸収したエネルギーにより発熱する。この熱をバリスタ１２に密着したサーモスタット１３が検知して動作し、接点を閉じて通電状態として励磁コイルＬ４とＬ８を接続して高電圧の発生を防止することができる。
【００６３】
なお、本実施例では、高圧安全装置１１を励磁コイルＬ４とＬ８との間に設けたが、励磁コイルＬ３とＬ７との間に設けてもその作用効果に差異を生じない。また、高圧安全装置としてバリスタとサーモスタットを用いた場合について説明したが、高電圧を検知して動作するリレーを用いた場合でもその作用効果に差異を生じない。また、サーモスタットの代わりに温度ヒューズとリレーを用いた場合でもその作用効果に差異を生じない。
【００６４】
（参考例８）
図１０および図１１に示すように、電源側と結線接続する入力側端子台１４および負荷側と結線接続する出力側端子台１５は上下２層で構成され、入力側端子台１４は支持金具１６に固定されている。また、入力側端子台１４および出力側端子台１５はトランス２のリード線１７と接続されている。トランス２、出力側端子台１５、支持金具１６はシャーシ１８に固定されて本体１９内部に納められ、節電装置２０を形成している。
【００６５】
上記構成において、入力側端子台１４および出力側端子台１５は上下２層で構成されているため、入力側端子台１４、出力側端子台１５の設置面積が少なくて済み、本体１９の外観形状を小型化することができる。また、本体１９内部でトランス２のリード線１７と入力側端子台１４および出力側端子台１５とを結線接続する場合に、支持金具１６の下部スペースを利用して出力側のリード線１７をストレートに配線できるとともに端子台周囲のスペースを広くとることにより、接続線の引き回しを容易にすることができる。したがって、電源側、負荷側と接続する端子台を上下２層構成とすることにより、本体１９内部の結線接続工事を容易にすることができる。
【００６６】
（参考例９）
図１２および図１３に示すように、本体１９内の側部にトランス２を制御する回路ボックス２３を設け、回路ボックス２３には制御回路、サイリスタなどを収納している。支持金具１６に固定された入力側端子台１４と出力側端子台１５は上下２層で構成され、支持金具１６は下層の出力側端子台１５のリード線１７との接続部分を覆うように設置されている。また、補助支持金具２１は入力側端子台１４のリード線１７との接続端子部分を覆うようにシャーシ１８に固定され、補助支持金具２１には結線用端子台２２が設置されている。この結線用端子台２２は、回路ボックス２３とトランス２を結線接続するためのものである。したがって、出力側端子台１５、入力側端子台１４および結線用端子台２２は階段状に設置されている。
【００６７】
上記構成において、本体１９を電源側、負荷側と接続する場合には、入力側端子台１４、出力側端子台１５および結線用端子台２２は階段状に設置されているため、設置面積が小さく、各端子台の周囲に作業スペースを設けることができ、結線工事を容易にすることができる。また、支持金具１６および補助支持金具２１は、出力側端子台１５および入力側端子台１４のトランス２のリード線１７の接続端子を覆うように固定されているため、トランス２側の端子部分に簡単に触れることができず、誤ってトランス２との接続端子を緩めたりすることもなく、誤結線ミスを防止できる。したがって、本体１９の各端子台をトランス２の接続部分を覆うようにして階段状に設置することにより、結線接続工事を容易にできるとともに、結線時の工事ミスを防止できる。
【００６８】
【発明の効果】
以上の実施例から明らかなように、本発明によれば、制御部は出力電圧を検出し、サイリスタを駆動して出力電圧をバックアップするため、負荷に影響を与えず安定した電圧を供給できるという効果のある節電装置を提供できる。
【００６９】
また、電圧検知手段が電圧検知を遅延して行うことにより、瞬間的な電圧変動に対してはサイリスタは切換わらないため、サイリスタの切換動作を少なくし、部品の長寿命化を図り、部品交換時期を延ばすことができるという効果のある節電装置を提供できる。
【００７０】
また、制御部にサイリスタのオン−オフ動作を遅延して行う駆動遅延手段を設け、駆動遅延手段はサイリスタのオンまたはオフ動作を遅らせることにより、複数のサイリスタを同時通電させることがなく、励磁コイルに過電流が流れることを防止するという効果のある節電装置を提供できる。
【００７１】
また、制御部にサイリスタ両端の電圧を検知する電圧検知部を設け、検知電圧が所定の電圧か、もしくは所定の電圧以外かを判定することにより、励磁コイルの断線を検知して異常表示をすることができるという効果のある節電装置を提供できる。
【００７２】
また、励磁コイルに直列に接続された過電流防止装置により、制御部の異常動作や部品の故障の際に励磁コイルに流れる過電流を遮断して、励磁コイルに過電流を流さないようにすることができるという効果のある節電装置を提供できる。
【００７３】
また、制御部の回路部でサイリスタのゲート電圧を検知してサイリスタがすべてオフ状態であれば、強制的にサイリスタをオンさせて励磁コイルの１組だけを接続して励磁電流を流すことにより、励磁コイル端の高電圧発生を防止することができるという効果のある節電装置を提供できる。
【００７４】
また、サイリスタすべてがオフ状態で励磁コイルが開放状態となった場合に、制御部に設けた回路部が検出し、高圧安全装置を動作させて励磁コイルの１組だけを接続して励磁電流を流すことにより、励磁コイル端の高電圧発生を防止することができるという効果のある節電装置を提供できる。
【００７５】
また、電源側と結線接続する入力側端子台を支持金具に固定し、この支持金具の下に負荷側と結線接続する出力側端子台を配置する上下構造とすることにより、端子台の設置面積が少なくて済み、本体を小型化できるとともに、本体内において端子台周囲のスペースを広くすることができて結線接続工事を容易にすることができるという効果のある節電装置を提供できる。
【００７６】
また、入力側端子台、出力側端子台および結線用端子台を階段状に構成することにより、本体設置後に結線工事を行う端子台側に広いスペースを設けることができ、また、トランスのリード線端子を誤って緩めたりすることもなく、結線工事が容易にできるとともに、結線時の工事ミスを防止できるという効果のある節電装置を提供できる。
【図面の簡単な説明】
【図１】本発明の節電装置の実施例１および実施例２の回路構成図
【図２】同入力電圧と出力電圧の関係を示す電圧特性図
【図３】同実施例２の動作を示すブロックフローチャート
【図４】同実施例３の回路構成図
【図５】同サイリスタの遅延動作を示すタイムチャート
【図６】同実施例４の回路構成図
【図７】同実施例５の回路構成図
【図８】同実施例６の回路構成図
【図９】同実施例７の回路構成図
【図１０】同実施例８の縦断面図
【図１１】同平面図
【図１２】同実施例９の縦断面図
【図１３】同平面図
【図１４】従来の節電装置の回路構成図
【符号の説明】
Ｌ１、Ｌ２、Ｌ５、Ｌ６  主コイル
Ｌ３、Ｌ４、Ｌ７、Ｌ８  励磁コイル
２                      トランス
３、４                  サイリスタ
５                      制御部
６                      出力電圧検知部
７                      電圧検知部
９ａ、９ｂ、９ｃ、９ｄ  過電流防止装置
１０                    回路部
１１                    高圧安全装置
１２                    電圧検出部（バリスタ）
１３                    接点部（サーモスタット）
１４                    入力側端子台
１５                    出力側端子台
【図１】
0003833747.tif 000002
【図２】
0003833747.tif 000003
【図３】
0003833747.tif 000004
【図４】
0003833747.tif 000005
【図５】
0003833747.tif 000006
【図６】
0003833747.tif 000007
【図７】
0003833747.tif 000008
【図８】
0003833747.tif 000009
【図９】
0003833747.tif 000010
【図１０】
0003833747.tif 000011
【図１１】
0003833747.tif 000012
【図１２】
0003833747.tif 000013
【図１３】
0003833747.tif 000014
【図１４】
0003833747.tif 000015